(57)【特許請求の範囲】
【請求項１】
冷蔵庫本体と、前記冷蔵庫庫内に配置した庫内灯と、前記庫内灯を入切するドア開閉検知手段と、前記冷蔵庫本体の前面に設けられた操作基板と、前記操作基板に供給されている電源の電圧を降下させる電圧降下手段と、前記ドア開閉検知手段からの開閉信号に連動して前記電圧降下手段により前記操作基板の電源の電圧を降下する冷蔵庫で、前記電圧降下手段と並列に接続され、前記操作基板の電源電流を検知する電流検知手段を備え、前記電圧降下手段は前記ドア開閉手段の開閉信号が開、かつ、前記電流検知手段からの電流値が規定電流値Ａ以上の場合に、前記操作基板の電源の電圧を降下することを特徴とする冷蔵庫。
【発明の詳細な説明】
【技術分野】
【０００１】
本発明は、冷蔵庫の庫内灯が点灯時に操作基板の電源を遮断するか、電源電圧を低下するかを行う電源の排他制御を行う冷蔵庫に関するものである。
【背景技術】
【０００２】
従来、この種の冷蔵庫は、庫内灯と操作基板の動作は各々独立に動作する（例えば、特許文献１参照）。
【０００３】
従来の冷蔵庫の概略図を図１０に示す。
【先行技術文献】
【特許文献】
【０００４】
【特許文献１】特開２００１−１１２１８９号公報
【発明の概要】
【発明が解決しようとする課題】
【０００５】
しかしながら、前記従来の構成では、庫内灯と操作基板の動作は各々独立して動作しているため、個別に庫内灯、操作基板の表示を動作させるための電力量を電源より供給しなければならない。例えば、ＬＥＤ１個が２０ｍＡの電流値に対して、庫内灯、操作基板の表示灯で各々２０〜３０個を使用しており、総電流地は１２００ｍＡ程度になるため、電力量に見合う高価でサイズの大きな電源を搭載しなければならないという課題を有していた。
【０００６】
本発明は、前記従来の課題を解決するもので、庫内灯が点灯した時は、操作基板の電源を遮断するか、電源電圧を低下するかを行い排他制御することにより、従来１２００ｍＡかかっていた電流値を６００ｍＡまで制御電源の電力量を低減させ、安価で小型低コストな電源を搭載することができる冷蔵庫を提供することを目的とする。
【課題を解決するための手段】
【０００７】
前記従来の課題を解決するために、本発明は、冷蔵庫本体と、前記冷蔵庫庫内に配置した庫内灯と、前記庫内灯を入切するドア開閉検知手段と、前記冷蔵庫本体の前面に設けられた操作基板と、前記操作基板に供給されている電源を遮断する電源遮断手段を備える。
【０００８】
本構成によって、前記ドア開閉検知手段からの開閉信号に連動して、前記電源遮断手段により前記操作基板の電源を遮断し、制御電源の電力量の排他を制御する。
【０００９】
また、本発明は、冷蔵庫本体と、前記冷蔵庫庫内に配置した庫内灯と、前記庫内灯を入切するドア開閉検知手段と、前記冷蔵庫本体の前面に設けられた操作基板と、前記操作基板に供給されている電源の電圧を降下させる電圧降下手段を備える。
【００１０】
本構成によって、前記ドア開閉検知手段からの開閉信号に連動して、前記電圧降下断手段により前記操作基板の電源の電圧を降下させ、制御電源の電力量の排他を制御する。
【００１１】
また、本発明は、前記電圧降下手段と並列に接続され、前記操作基板の電源電流を検知する電流検知手段を備える。
【００１２】
本構成により、前記ドア開閉手段の開閉信号と前記電流検知手段からの電流値により、
前記操作基板の電源の電圧を降下することにより、制御電源の電力量の排他を制御する。
【発明の効果】
【００１３】
本発明の冷蔵庫は、庫内灯が点灯した時は、操作基板の電源を遮断するか、電源電圧を低下し表示灯を弱点灯表示するかに排他制御することにより、従来１２００ｍＡかかっていた電流値を６００ｍＡまで制御電源の電力量を低減させ、制御電源の電力量を低減できるため、制御電源の電力量を低減したことによって安価で小型な電源を搭載することができる。
【図面の簡単な説明】
【００１４】
【図１】本発明の実施の形態１における冷蔵庫の正面図
【図２】本発明の実施の形態１における冷蔵庫の操作基板の構成図
【図３】本発明の実施の形態１における冷蔵庫の庫内灯基板の構成図
【図４】本発明の実施の形態１における冷蔵庫の制御ブロック図
【図５】本発明の実施の形態１における冷蔵庫の制御フローチャート
【図６】本発明の実施の形態２における冷蔵庫の制御ブロック図
【図７ａ】本発明の実施の形態２における冷蔵庫の制御フローチャート
【図７ｂ】同実施の形態の表示灯電源の電圧状態図
【図８】本発明の実施の形態２における冷蔵庫の制御ブロック図
【図９ａ】本発明の実施の形態２における冷蔵庫の制御フローチャート
【図９ｂ】同実施の形態の表示灯電源の電圧状態図
【図１０】従来の冷蔵庫の側面図
【発明を実施するための形態】
【００１７】
請求項１に記載の発明は、冷蔵庫本体と、前記冷蔵庫庫内に配置した庫内灯と、前記庫内灯を入切するドア開閉検知手段と、前記冷蔵庫本体の前面に設けられた操作基板と、前記操作基板に供給されている電源の電圧を降下させる電圧降下手段と、前記ドア開閉検知手段からの開閉信号に連動して前記電圧降下手段により前記操作基板の電源の電圧を降下する冷蔵庫で、前記電圧降下手段と並列に接続され、前記操作基板の電源電流を検知する電流検知手段を備え、前記電圧降下手段は前記ドア開閉手段の開閉信号が開、かつ、前記電流検知手段からの電流値が規定電流値Ａ以上の場合に、前記操作基板の電源の電圧を降下することにより、制御電源の電力量を低減することができ、安価、小型低コストな制御電源を搭載できる、また庫内灯の点灯時においても、操作基板の表示灯を消灯することなく、操作基板の電源電圧低下をおこなうため、ドア開時でも操作基板の表示灯を弱点灯表示で提供し、表示内容を確認することができる。またドア開時でも操作基板の表示灯の電源の電流が少ない場合は、強点灯表示がおこなえるため、弱点灯表示の機会が少なくなり、さらに視認性がよい表示灯を提供することができる。
【００１８】
（実施の形態１）
図１は、本発明の実施の形態１における冷蔵庫の冷凍室ドア２が開状態の正面図である。
【００１９】
図１において、冷蔵庫本体１の前面には各貯蔵室用のドアがあり、冷凍室ドア２、冷蔵室ドア３がレイアウトされている。冷蔵室ドア３の中央部付近には操作基板４が設けられている。また、冷蔵庫本体１の庫内には、ドアの開閉状態を検知し、開ならば開閉信号をオン、閉ならば開閉信号オフとするドア開閉検知手段７と、庫内の右側面の照明を行う庫内灯Ｒ５、左側面の照明を行う庫内灯Ｌ６が配置されている。
【００２０】
図２は操作基板４の基板構成図である。
【００２１】
図２において、操作基板４は、複数個の発光ダイオード（以下ＬＥＤ）、または蛍光管等で構成された表示灯９、複数個のタクト式スイッチ、またはタッチセンサ式スイッチ等で構成された操作スイッチ８で構成されている。
【００２２】
図３は、庫内灯Ｌ６の基板構成図である。
【００２３】
図３において、庫内灯Ｌ６は、複数個の発光ダイオード（以下ＬＥＤ）、または蛍光管等で構成された灯１０で構成されている。
【００２４】
尚、冷蔵庫本体１のドア、表示等の構成は代表的なものであって、このレイアウトに限定されるものではない。
【００２５】
以上のように構成された冷蔵庫について、以下その動作、作用を説明する。
【００２６】
図４は、本発明の実施の形態１における冷蔵庫の制御ブロック図である。
【００２７】
図４において、制御装置１１は、ドア開閉検知手段７と接続されており、ドア開閉の状態を検知することができる。また制御装置１１はドア開閉検知手段７の状態により庫内灯Ｒ５、もしくは庫内灯Ｌ６の灯１０を点灯、消灯を動作させる。
【００２８】
また制御装置１１は、電源遮断手段１３を介して表示灯９に接続されており、表示灯９の電源を入り切りする。制御電源１２は、制御装置１１、灯１０、表示灯９へ電源を供給している。
【００２９】
図５の本発明の実施の形態１における冷蔵庫の制御フローチャートである。
【００３０】
ステップ０は、冷蔵庫本体１の冷却動作をおこなうメイン制御フローである。
【００３１】
ステップ１は、ドア開閉検知手段７からの開閉信号がオンならばドアが開いているためＹｅｓとなりステップ２へ移行する。ドア開閉検知手段７からの開閉信号がオフならばドアが閉じているためＮｏとなりステップ４へ移行する。
【００３２】
ステップ２では、制御装置１１は、電源遮断手段１３により、表示灯９の電源を遮断する。ステップ３では、制御装置１１は、表示灯９の電源が遮断されて後、庫内灯Ｌ６、庫内灯Ｒ５の灯１０を点灯の状態にする。ステップ４では、制御装置１１は、庫内灯Ｌ６、庫内灯Ｒ５の灯１０を消灯の状態とする。ステップ５では、制御装置１１は、電源遮断手段１３を介して表示灯９の電源を供給する。ステップ３、ステップ５の処理後は、ステッ
プ０に戻り繰り返す。
【００３３】
以上のように、冷蔵庫本体と、冷蔵庫庫内の右側面に設けられた灯を複数配置した庫内灯Ｒ５と、冷蔵庫庫内の左側面に設けられた灯を複数配置した庫内灯Ｌ６と、庫内灯Ｒ５，Ｌ６を入切するドア開閉検知手段７と、冷蔵庫本体の前面に設けられた操作基板４と、操作基板４に供給されている電源を遮断する電源遮断手段１３において、ドア開閉検知手段７からの開閉信号に連動して、電源遮断手段１３により操作基板４の電源を遮断し、制御電源の電力量の排他を制御することで、制御電源の電力量を低減させ、安価で小型低コストな電源を搭載することができ、冷蔵庫の材料費を低減できる。
【００３４】
（実施の形態２）
実施の形態１と同様の構成については、同一名称を付与し説明を省く。
【００３５】
図６は、本発明の実施の形態２における冷蔵庫の制御ブロック図である。
【００３６】
図６において、制御装置１１は、ドア開閉検知手段７と接続されており、ドア開閉の状態を検知することができる。また制御装置１２はドア開閉検知手段の状態により庫内灯Ｒ５、もしくは庫内灯Ｌ６の灯１０を強点灯、弱点灯を動作させる。
【００３７】
また制御装置１１は、電圧降下手段１４を介して表示灯９に接続されており、表示灯９の強点灯、弱点灯を表示灯９の電源電圧を降下させることで可能とする電圧降下手段１４で構成されている。制御電源１２は、制御装置１１、灯１０、表示灯９へ電源を供給している。
【００３８】
図７ａは本発明の実施の形態１における冷蔵庫の制御フローチャート、図７ｂはその表示灯電源の電圧状態図である。
【００３９】
ステップ０は、冷蔵庫本体１の冷却動作をおこなうメイン制御フローである。
【００４０】
ステップ１は、ドア開閉検知手段７からの開閉信号がオンならばドアが開いているためＹｅｓとなりステップ２へ移行する。ドア開閉検知手段７からの開閉信号がオフならばドアが閉じているためＮｏとなりステップ４へ移行する。
【００４１】
ステップ２では、制御装置１１が電圧降下手段１４により、表示灯９の電源の電圧をＦＶに降下させる。ステップ３では、制御装置１１は、表示灯９の電源の電圧が降下されて後、庫内灯Ｌ６、庫内灯Ｒ５の灯１０を点灯の状態にする。ステップ４では、制御装置１１は、庫内灯Ｌ６、庫内灯Ｒ５の灯１０を消灯の状態とする。ステップ５では、制御装置１１が電圧降下手段１４を介して表示灯９の電源の電圧ＳＶを供給する。
【００４２】
ステップ３、ステップ５の処理後は、ステップ０に戻り繰り返す。
【００４３】
以上のように、冷蔵庫本体と、前記冷蔵庫庫内の右側面に設けられた灯を複数配置した庫内灯Ｒ５と、冷蔵庫庫内の左側面に設けられた灯を複数配置した庫内灯Ｌ６と、庫内灯Ｒ５，Ｌ６を入切するドア開閉検知手段７と、冷蔵庫本体１の前面に設けられた操作基板４と、操作基板４に供給されている電源の電圧を降下させる電圧降下手段１４において、ドア開閉検知手段７からの開閉信号により、電圧降下断手段１４により操作基板４の電源の電圧を降下させ、制御電源の電力量の排他を制御することにより、制御電源の電力量を低減することができ、安価、小型低コストな制御電源で供給できる、また庫内灯の点灯時においても、操作基板４の表示灯９を消灯することなく、操作基板４の電源の電圧低下をおこなうため、ドア開時でも操作基板４の表示灯９を弱点灯表示で提供し、表示内容を確
認することができる。
【００４４】
（実施の形態３）
実施の形態１と同様の構成については、同一名称を付与し説明を省く。
【００４５】
図８は、本発明の実施の形態３における冷蔵庫の制御ブロック図である。
【００４６】
図８において、制御装置１１は、ドア開閉検知手段７と接続されており、ドア開閉の状態を検知することができる。また制御装置１２はドア開閉検知手段の状態により庫内灯Ｒ５、もしくは庫内灯Ｌ６の灯１０を強点灯、弱点灯を動作させる。
【００４７】
また制御装置１１は、電圧降下手段１４を介して表示灯９に接続されており、表示灯９の強点灯、弱点灯を可能とする電圧降下手段１４で構成されている。
【００４８】
また制御装置１１は、電流検知手段１５を介して表示灯９に接続されており、表示灯９の電源の電流値Ｉを測定することができる。
【００４９】
制御電源１２は、制御装置１１、灯１０、表示灯９へ電源を供給している。
【００５０】
図９ａは本発明の実施の形態３における冷蔵庫の制御フローチャート、図９ｂはその表示灯電源の電圧状態図である。
【００５１】
ステップ０は、冷蔵庫本体１の冷却動作をおこなうメイン制御フローである。
【００５２】
ステップ１は、電流検知手段１５から検出した表示灯の電源の電流値Ｉと、制御電源の電力量から規定された表示灯９の規定電流値Ａを比較し、Ｉ≧Ａならばステップ２へ移行する。またＩ＜Ａならばステップ３に移行する。
【００５３】
ステップ２では、制御装置１１は、電圧降下手段１４により、表示灯９の電源の電圧をＦＶに降下させる。
【００５４】
ステップ３では、制御装置１１が電圧降下手段１４を介して表示灯９の電源の電圧をＳＶを供給する。
【００５５】
ステップ４は、ドア開閉検知手段７からの開閉信号がオンならばドアが開いているためＹｅｓとなりステップ５へ移行する。ドア開閉検知手段７からの開閉信号がオフならばドアが閉じているためＮｏとなりステップ６へ移行する。
【００５６】
ステップ５では、制御装置１１は、表示灯９の電源の電圧が降下されて後、庫内灯Ｌ６、庫内灯Ｒ５の灯１０を点灯の状態にする。
【００５７】
ステップ６では、制御装置１１は、庫内灯Ｌ６、庫内灯Ｒ５の灯１０を消灯の状態とする。
【００５８】
ステップ５、ステップ６の処理後は、ステップ０に戻り繰り返す。
【００５９】
以上のように、電圧降下手段１４と並列に接続され、操作基板４の電源の電流を検知する電流検知手段１５において、ドア開閉手段７の開閉信号と電流検知手段からの電流値により、操作基板４の電源の電圧を降下することにより、制御電源の電力量を低減することができ、安価、小型低コストな制御電源を搭載できる。また庫内灯Ｒ５、Ｌ６の点灯時に
おいても、操作基板４の表示灯９を消灯することなく、操作基板４の電源電圧低下をおこなうため、ドア開時でも操作基板４の表示灯を弱点灯表示で提供し、表示内容を確認することができる。またドア開時でも操作基板４の表示灯の電源の電流が少ない場合は、強点灯表示がおこなえるため、弱点灯表示の表示回数が少なくなり、さらに視認性がよい表示灯をお客様に提供することができる。
【産業上の利用可能性】
【００６０】
本発明にかかる冷蔵庫は、庫内灯が点灯した時は、操作基板の表示灯を消灯、または弱点灯表示の排他制御を行い、電力量を低減させ、安価で小型の制御電源を搭載した冷蔵庫であり、他の機器と連動したシステムキッチン収納庫や各種貯蔵庫等の他制御にも応用できるものである。
【符号の説明】
【００６１】
１  冷蔵庫本体
２  冷凍室ドア
３  冷蔵室ドア
４  操作基板
５  庫内灯Ｒ
６  庫内灯Ｌ
７  ドア開閉検知手段
８  操作スイッチ
９  表示灯
１０  灯
１１  制御装置
１２  制御電源
１３  電源遮断手段
１４  電圧降下手段
１５  電流検知手段
【図２】
0005573093.tif 000002
【図３】
0005573093.tif 000003
【図４】
0005573093.tif 000004
【図５】
0005573093.tif 000005
【図６】
0005573093.tif 000006
【図７ａ】
0005573093.tif 000007
【図７ｂ】
0005573093.tif 000008
【図８】
0005573093.tif 000009
【図９ａ】
0005573093.tif 000010
【図９ｂ】
0005573093.tif 000011
【図１】
0005573093.tif 000012
【図１０】
0005573093.tif 000013